【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
流体出入ポートに連通するシリンダ室が形成されたシリンダ本体と、
前記シリンダ本体の軸線方向に沿って往復動作するスライダと、
前記シリンダ室に沿って摺動自在に配設されるピストンの変位作用下に前記スライダを往復動作させるシリンダ機構と、
前記スライダを前記シリンダ本体の軸線方向に沿って案内するガイド機構と、
前記スライダの変位量を調整する変位量調整手段と、
を備え、
前記スライダは、金属射出成形又は鋳造成形により一体成形され、
前記変位量調整手段は、前記シリンダ本体と前記スライダとの間に形成された切欠部に臨み前記シリンダ本体又は前記スライダのいずれか一方に固定されるストッパと、前記シリンダ本体又は前記スライダのいずれか他方に進退自在に設けられる第１アジャスタボルトとを含むことを特徴とするリニアアクチュエータ。
【請求項２】
請求項１記載のリニアアクチュエータにおいて、
前記ストッパは、前記シリンダ本体の上面に形成されたねじ孔に螺入されることにより前記シリンダ本体に固定され、前記第１アジャスタボルトは、前記スライダの端部に形成されたねじ孔に螺入されロックナットによって固定されることを特徴とするリニアアクチュエータ。
【請求項３】
請求項１記載のリニアアクチュエータにおいて、
前記変位量調整手段は、前記シリンダ本体の軸線方向に沿った端面に固定される取付部材と、前記取付部材に対して進退自在に装着される第２アジャスタボルトとを有し、前記第２アジャスタボルトは、前記スライダの端面に当接可能に設けられることを特徴とするリニアアクチュエータ。
【請求項４】
請求項１記載のリニアアクチュエータにおいて、
前記スライダの上面には、前記切欠部に連通する通し穴が設けられることを特徴とするリニアアクチュエータ。
【請求項５】
流体出入ポートに連通するシリンダ室が形成されたシリンダ本体と、
前記シリンダ本体の軸線方向に沿って往復動作するスライダと、
前記シリンダ室に沿って摺動自在に配設されるピストンの変位作用下に前記スライダを往復動作させるシリンダ機構と、
前記スライダを前記シリンダ本体の軸線方向に沿って案内するガイド機構と、
を備え、
前記ピストンには前記シリンダ本体の外部に露呈するピストンロッドが連結され、前記ピストンロッドと前記スライダとの結合部分には、フローティング機能を有する第１ブッシュ及び第２ブッシュが設けられ、前記スライダと接触する前記第１ブッシュ及び第２ブッシュの接触面にはシールリングがそれぞれ装着されることを特徴とするリニアアクチュエータ。
【請求項６】
請求項５記載のリニアアクチュエータにおいて、
前記シリンダ本体には、吸引用ポートが設けられることを特徴とするリニアアクチュエータ。
【請求項７】
請求項６記載のリニアアクチュエータにおいて、
前記シリンダ本体の内部には前記ピストンロッドを変位自在に軸支するロッドカバーが装着され、前記ロッドカバーには、前記吸引用ポートに連通する複数の孔部が形成されることを特徴とするリニアアクチュエータ。
【請求項８】
流体出入ポートに連通するシリンダ室が形成されたシリンダ本体と、
前記シリンダ本体の軸線方向に沿って往復動作するスライダと、
前記シリンダ室に沿って摺動自在に配設されるピストンの変位作用下に前記スライダを往復動作させるシリンダ機構と、
前記スライダを前記シリンダ本体の軸線方向に沿って案内するガイド機構と、
を備え、
前記シリンダ本体の内部には前記ピストンを収装するための貫通孔が形成され、前記貫通孔の端部はエンドキャップによって閉塞され、前記エンドキャップは、係止片によって係止されることを特徴とするリニアアクチュエータ。
【請求項９】
請求項８記載のリニアアクチュエータにおいて、
前記エンドキャップは、該エンドキャップに形成された係止用溝部に対して、前記シリンダ本体の底面側から孔に沿って挿入される前記係止片が係合することにより係止されることを特徴とするリニアアクチュエータ。
【請求項１０】
請求項１記載のリニアアクチュエータにおいて、
前記シリンダ本体の軸線と平行な一方の側面には、センサ取付用レールが着脱自在に設けられることを特徴とするリニアアクチュエータ。
【請求項１１】
請求項１０記載のリニアアクチュエータにおいて、
前記シリンダ本体の軸線と平行な他方の側面には、配管用ブロックが連結されることを特徴とするリニアアクチュエータ。
【請求項１２】
請求項１１記載のリニアアクチュエータにおいて、
前記配管用ブロックには、前記シリンダ本体の軸線方向からの配管取り出しが可能な配管用部材が設けられることを特徴とするリニアアクチュエータ。
【手続補正２】
【補正対象書類名】明細書
【補正対象項目名】０００９
【補正方法】変更
【補正の内容】
【０００９】
本発明は、流体出入ポート（６４ａ、６４ｂ、６６ａ、６６ｂ）に連通するシリンダ室（６０、６２）が形成されたシリンダ本体（２２）と、
前記シリンダ本体（２２）の軸線方向に沿って往復動作するスライダ（２４）と、
前記シリンダ室（６０、６２）に沿って摺動自在に配設されるピストン（４６）の変位作用下に前記スライダ（２４）を往復動作させるシリンダ機構と、
前記スライダ（２４）を前記シリンダ本体（２２）の軸線方向に沿って案内するガイド機構と、
前記スライダ（２４）の変位量を調整する変位量調整手段と、
を備え、
前記スライダ（２４）は、金属射出成形又は鋳造成形により一体成形され、
前記変位量調整手段は、前記シリンダ本体（２２）と前記スライダ（２４）との間に形成された切欠部（３４）に臨み前記シリンダ本体（２２）又は前記スライダ（２４）のいずれか一方に固定されるストッパ（３６）と、前記シリンダ本体（２２）又は前記スライダ（２４）のいずれか他方に進退自在に設けられる第１アジャスタボルト（９０）とを含むことを特徴とする。
【手続補正３】
【補正対象書類名】明細書
【補正対象項目名】００１０
【補正方法】変更
【補正の内容】
【００１０】
本発明によれば、例えば、切欠部に臨むストッパをシリンダ本体の上面に形成し、スライダに進退自在に設けられた第１アジャスタボルトが前記ストッパに当接することにより、前進端におけるストローク量が規制される。従って、従来技術と比較して第１アジャスタボルトがシリンダ本体の軸線方向から突出する量が抑制されて該シリンダ本体の軸線方向に沿った寸法を短縮して小型化を図ることができる。
【手続補正４】
【補正対象書類名】明細書
【補正対象項目名】００１１
【補正方法】変更
【補正の内容】
【００１１】
この場合、前記変位量調整手段は、さらに、前記シリンダ本体に取付部材を介して固定される第２アジャスタボルトを有し、前記第２アジャスタボルトが前記スライダの端面に当接することにより、例えば、スライドテーブルの後進端のストローク量を規制するようにするとよい。
【手続補正５】
【補正対象書類名】明細書
【補正対象項目名】００３２
【補正方法】変更
【補正の内容】
【００３２】
図２に示されるように、前記スライドテーブル２４の一端面には、変位量調整手段として機能するアジャスタボルト（第１アジャスタボルト）９０が螺入されるねじ孔９１が形成され、前記ねじ孔９１は切欠部３４に連通するように設けられる。前記アジャスタボルト９０の先端部には、例えば、ウレタン等のゴム製材料からなる緩衝部材９４が装着され、ロックナット９２を介して所望の位置に固定される。また、前記スライドテーブル２４の一端面には、ボール転動溝３２ａ、３２ｂ、８６ａ、８６ｂに沿って転動するボールベアリング３０の脱落を阻止するプレート８８が装着される。
【手続補正６】
【補正対象書類名】明細書
【補正対象項目名】００３４
【補正方法】変更
【補正の内容】
【００３４】
また、前記シリンダ本体２２の一端面には、略Ｌ字状のアジャスタ用プレート（取付部材）９３がボルト９５ａ、９５ｂにより固定されている。前記アジャスタ用プレート９３の孔部９６には、スライドテーブル２４の変位量調整手段として機能するアジャスタボルト（第２アジャスタボルト）９８がロックナット１００を介して螺入され、該アジャスタボルト９８の先端部が、前記スライドテーブル２４の端面に当接するようになっている。この該アジャスタボルト９８の先端部にも、例えば、ウレタン等のゴム製材料からなる緩衝部材１０２が装着される。
【手続補正７】
【補正対象書類名】明細書
【補正対象項目名】００４７
【補正方法】変更
【補正の内容】
【００４７】
前記スライドテーブル２４が図１の矢印Ａ方向（前進）に向かって変位する過程において、該スライドテーブル２４と一体的に変位するアジャスタボルト９０がシリンダ本体２２の上面に固定されたストッパ３６に当接することにより一方の変位終端位置に至る。この場合、ロックナット９２を緩めてアジャスタボルト９０のねじ込み量を調整することにより、スライドテーブル２４の変位量が増減変更しスライドテーブル２４の前進端の位置を調整することが可能となる。